(57)【要約】  よく発言する参加者のステータスや詳細等を参照する場合に、頁切替えまたはスクロール操作の手間を減らすことが可能な参加者リスト表示方法を提供する。携帯電話機はステップＳ１にてＰＴＴ通信参加者に対して発信処理を行うことで、ＰＴＴ開始処理を行い、ステップＳ２にて参加者毎の発言回数カウント用に作業用メモリに変数を確保し、ステップＳ３にて発言権取得待ち状態となる。携帯電話機はその発言権取得待ち状態から、ステップＳ４にて発言希望者が発言権を取得すると、ステップＳ５にて作業用メモリに格納されている該当する参加者の発言回数カウンタを＋１する。携帯電話機は作業用メモリに格納されている参加者毎の発言回数を参照し、表示部に表示される参加者の一覧を発言回数の多い順に並べ替える。
2007058135.tif 000002
【特許請求の範囲】
【請求項１】
ＰＴＴ（Ｐｕｓｈ  ｔｏ  Ｔａｌｋ）機能を搭載した携帯端末装置であって、
前記ＰＴＴ機能による通信時に、参加者毎にその発言回数を計数する計数手段と、その計数情報を基に前記発言回数の多い順に参加者一覧を表示する際の表示順を並べ替える並べ替え手段と、その並べ替えた順番で前記参加者一覧を表示する表示手段とを有することを特徴とする携帯端末装置。
【請求項２】
発言権を取得した参加者から参加者一覧に掲載される他の参加者に少なくとも音声データの一斉送信を行うＰＴＴ（Ｐｕｓｈ  ｔｏ  Ｔａｌｋ）機能を具備する携帯端末装置であって、
前記ＰＴＴ機能による通信時に前記参加者一覧の参加者毎にその発言回数を計数する計数手段と、その計数情報を基に前記発言回数の多い順に前記参加者一覧を表示する際の表示順を並べ替える並べ替え手段と、その並べ替えた順番で前記参加者一覧を表示する表示手段とを有することを特徴とする携帯端末装置。
【請求項３】
前記並べ替え手段は、前記参加者一覧を表示する際の表示順を前回発言した参加者が必ず先頭になるように並び替えることを特徴とする請求項１または請求項２記載の携帯端末装置。
【請求項４】
前記表示手段は、前記発言回数が多い参加者の名前を所定の色で表示することを特徴とする請求項１から請求項３のいずれか記載の携帯端末装置。
【請求項５】
前記表示手段は、前記発言回数が多い参加者の名前を、少なくとも所定の図形及び画像のいずれかとともに表示することを特徴とする請求項１から請求項４のいずれか記載の携帯端末装置。
【請求項６】
前記計数手段及び前記並べ替え手段は、前記発言権の解放前及び解放後のいずれかに前記計数及び並び替えを行うことを特徴とする請求項１から請求項５のいずれか記載の携帯端末装置。
【請求項７】
前記並べ替え手段による並び替えを行うか否かを設定可能としたことを特徴とする請求項１から請求項６のいずれか記載の携帯端末装置。
【請求項８】
前記表示手段は、前記参加者毎の発言回数及び前記発言回数のグラフのいずれかを表示することを特徴とする請求項１から請求項７のいずれか記載の携帯端末装置。
【請求項９】
少なくとも携帯電話機、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ，Ｐｅｒｓｏｎａｌ  Ｄｉｇｉｔａｌ  Ａｓｓｉｓｔａｎｔｓ）のいずれかであることを特徴とする請求項１から請求項８のいずれか記載の携帯端末装置。
【請求項１０】
ＰＴＴ（Ｐｕｓｈ  ｔｏ  Ｔａｌｋ）機能を搭載した携帯端末装置に用いる参加者リスト表示方法であって、前記携帯端末装置が、前記ＰＴＴ機能による通信時に、参加者毎にその発言回数を計数する第１の処理と、その計数情報を基に前記発言回数の多い順に前記参加者一覧を表示する際の表示順を並べ替える第２の処理と、その並べ替えた順番で前記参加者一覧を表示する第３の処理とを実行することを特徴とする参加者リスト表示方法。
【請求項１１】
発言権を取得した参加者から参加者一覧に掲載される他の参加者に少なくとも音声データの一斉送信を行うＰＴＴ（Ｐｕｓｈ  ｔｏ  Ｔａｌｋ）機能を具備する携帯端末装置に用いる参加者リスト表示方法であって、前記携帯端末装置が、前記ＰＴＴ機能による通信時に前記参加者一覧の参加者毎にその発言回数を計数する第１の処理と、その計数情報を基に前記発言回数の多い順に前記参加者一覧を表示する際の表示順を並べ替える第２の処理と、その並べ替えた順番で前記参加者一覧を表示する第３の処理とを実行することを特徴とする参加者リスト表示方法。
【請求項１２】
前記第２の処理において、前記参加者一覧を表示する際の表示順を前回発言した参加者が必ず先頭になるように並び替えることを特徴とする請求項１０または請求項１１記載の参加者リスト表示方法。
【請求項１３】
前記第３の処理において、前記発言回数が多い参加者の名前を所定の色で表示することを特徴とする請求項１０から請求項１２のいずれか記載の参加者リスト表示方法。
【請求項１４】
前記第３の処理において、前記発言回数が多い参加者の名前を、少なくとも所定の図形及び画像のいずれかとともに表示することを特徴とする請求項１０から請求項１３のいずれか記載の参加者リスト表示方法。
【請求項１５】
前記第１の処理及び前記第２の処理を、前記発言権の解放前及び解放後のいずれかに行うことを特徴とする請求項１０から請求項１４のいずれか記載の参加者リスト表示方法。
【請求項１６】
前記発言回数による参加者一覧における参加者の順序の並び替えを行うか否かを設定可能とし、並び替えを行うことが選択された場合に、前記第１の処理から第３の処理を実行することを特徴とする請求項１０から請求項１５のいずれか記載の参加者リスト表示方法。
【請求項１７】
前記第３の処理において、前記参加者毎の発言回数及び前記発言回数のグラフのいずれかを表示することを特徴とする請求項１０から請求項１６のいずれか記載の参加者リスト表示方法。
【請求項１８】
前記携帯端末装置は、少なくとも携帯電話機、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ，Ｐｅｒｓｏｎａｌ  Ｄｉｇｉｔａｌ  Ａｓｓｉｓｔａｎｔｓ）のいずれかであることを特徴とする請求項１０から請求項１７のいずれか記載の参加者リスト表示方法。
【請求項１９】
携帯端末装置にＰＴＴ（Ｐｕｓｈ  ｔｏ  Ｔａｌｋ）機能を搭載させるためのプログラムであって、
前記携帯端末装置のコンピュータに、前記ＰＴＴ機能による通信時に、参加者毎にその発言回数を計数する処理と、その計数情報を基に前記発言回数の多い順に参加者一覧を表示する際の表示順を並べ替える処理と、その並べ替えた順番で前記参加者一覧を表示する処理とを実行させるためのプログラム。
【請求項２０】
発言権を取得した参加者から参加者一覧に掲載される他の参加者に少なくとも音声データの一斉送信を行うＰＴＴ（Ｐｕｓｈ  ｔｏ  Ｔａｌｋ）機能を具備する携帯端末装置に用いる参加者リスト表示方法のプログラムであって、前記携帯端末装置のコンピュータに、前記ＰＴＴ機能による通信時に前記参加者一覧の参加者毎にその発言回数を計数する処理と、その計数情報を基に前記発言回数の多い順に前記参加者一覧を表示する際の表示順を並べ替える処理と、その並べ替えた順番で前記参加者一覧を表示する処理とを実行させるためのプログラム。
【請求項２１】
携帯端末装置にＰＴＴ（Ｐｕｓｈ  ｔｏ  Ｔａｌｋ）機能を搭載させるためのプログラムを格納した記録媒体であって、
前記携帯端末装置のコンピュータに、前記ＰＴＴ機能による通信時に、参加者毎にその発言回数を計数する処理と、その計数情報を基に前記発言回数の多い順に参加者一覧を表示する際の表示順を並べ替える処理と、その並べ替えた順番で前記参加者一覧を表示する処理とを実行させるためのプログラムを格納した記録媒体。
【発明の詳細な説明】
【技術分野】
【０００１】
本発明は携帯端末装置及びそれに用いる参加者リスト表示方法並びにそのプログラムに関し、特にＰＴＴ（Ｐｕｓｈ  ｔｏ  Ｔａｌｋ）通信機能を搭載する携帯端末装置に関する。
【背景技術】
【０００２】
近年、無線通信が可能な携帯電話機、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ，Ｐｅｒｓｏｎａｌ  Ｄｉｇｉｔａｌ  Ａｓｓｉｓｔａｎｔｓ：個人向け携帯型情報通信機器）等の携帯端末装置においては、ＰＴＴ通信機能を搭載するものがある（例えば、特許文献１，２参照）。【０００３】
ここで、ＰＴＴとはＩＰ（Ｉｎｔｅｒｎｅｔ  Ｐｒｏｔｏｃｏｌ）を利用したウォーキー・トーキーのようなもので、通話は一方通行となる。また、ＰＴＴはＩＭ（Ｉｎｓｔａｎｔ  Ｍｅｓｓａｇｉｎｇ）のように、話す相手をグループ化することができ、相手の状態を見ることができる。【０００４】
したがって、ＰＴＴでは、通話状態にある相手（一人またはグループ）を選択して通話ボタン（あるいはＰＴＴボタン等）を押下することで通話可能となる。つまり、ＰＴＴは携帯電話のトランシーバモードであり、通話先の番号をダイヤルする必要がなく、接続までの時間が短く、複数箇所と同時に通話することができる。この場合の通話とは、発言権を得た一人から通話状態にある相手に対して音声を一斉送信し、通話状態にある相手がその音声を受信して聞くというものである。【０００５】
ＰＴＴにおいては、通常よりも割安な料金に設定されることが多い。また、その操作手順としては、通常の電話帳とは別に用意された通話先リストを開き、相手を選択して決定し、通話ボタン（あるいはＰＴＴボタン等）を押下することで通話することとなる。その際、複数の通話先を選択しておけば、多地点通話となる。【０００６】
【特許文献１】特表２００２−５３６９２８号公報
【特許文献２】特表２００３−５２６２７５号公報
【発明の開示】
【発明が解決しようとする課題】
【０００７】
しかしながら、上述した従来の携帯端末装置では、その表示画面の大きさに限りがあり、参加者の多いＰＴＴ通信を行うと、参加者毎のステータスや詳細を表示する場合に、頁切替えやスクロール操作が多くなり不便である。【０００８】
参加者のリストはアルファベット順または５０音順といった固定的な表示となっており、発言が多い参加者が画面の下の方や次頁に表示される場合、使い勝手が良くないといった問題がある。【０００９】
そこで、本発明の目的は上記の問題点を解消し、よく発言する参加者のステータスや詳細等を参照する場合に、頁切替えまたはスクロール操作の手間を減らすことができる携帯端末装置及びそれに用いる参加者リスト表示方法並びにそのプログラムを提供することにある。
【課題を解決するための手段】
【００１０】
本発明による携帯端末装置は、発言権を取得した参加者から参加者一覧に掲載される他の参加者に少なくとも音声データの一斉送信を行うＰＴＴ（Ｐｕｓｈ  ｔｏ  Ｔａｌｋ）機能を具備する携帯端末装置であって、
前記ＰＴＴ機能による通信時に前記参加者一覧の参加者毎にその発言回数を計数する計数手段と、その計数情報を基に前記発言回数の多い順に前記参加者一覧を表示する際の表示順を並べ替える並べ替え手段と、その並べ替えた順番で前記参加者一覧を表示する表示手段とを備えている。【００１１】
本発明による参加者リスト表示方法は、発言権を取得した参加者から参加者一覧に掲載される他の参加者に少なくとも音声データの一斉送信を行うＰＴＴ（Ｐｕｓｈ  ｔｏ  Ｔａｌｋ）機能を具備する携帯端末装置に用いる参加者リスト表示方法であって、前記携帯端末装置が、前記ＰＴＴ機能による通信時に前記参加者一覧の参加者毎にその発言回数を計数する第１の処理と、その計数情報を基に前記発言回数の多い順に前記参加者一覧を表示する際の表示順を並べ替える第２の処理と、その並べ替えた順番で前記参加者一覧を表示する第３の処理とを実行している。【００１２】
本発明による参加者リスト表示方法のプログラムは、発言権を取得した参加者から参加者一覧に掲載される他の参加者に少なくとも音声データの一斉送信を行うＰＴＴ（Ｐｕｓｈ  ｔｏ  Ｔａｌｋ）機能を具備する携帯端末装置に用いる参加者リスト表示方法のプログラムであって、前記携帯端末装置のコンピュータに、前記ＰＴＴ機能による通信時に前記参加者一覧の参加者毎にその発言回数を計数する処理と、その計数情報を基に前記発言回数の多い順に前記参加者一覧を表示する際の表示順を並べ替える処理と、その並べ替えた順番で前記参加者一覧を表示する処理とを実行させている。【００１３】
すなわち、本発明の携帯端末装置は、ＰＴＴ（Ｐｕｓｈ  ｔｏ  Ｔａｌｋ）機能を具備した装置において、ＰＴＴ通信時に発言者毎の発言回数をカウントし、そのカウント情報を用いて発言数の多い順に表示画面上の参加者のリストを並べ替えることによって、頁切替えまたはスクロール操作を低減する等、ユーザ・インタフェースの向上を図ることを特徴とする。【００１４】
より具体的に説明すると、本発明の携帯端末装置では、各種設定や入力、ＰＴＴ通信中に発言要求を行う手段と、装置内の各部の制御を行うＣＰＵ（中央演算処理装置）と、各種設定内容、ＰＴＴ参加者一覧、通信状況等を表示する手段と、発言回数をカウントする手段と、無線によって着信を受けたり、通話、ＰＴＴ通信を行うための送受信部と、通話やＰＴＴ通信で送話するためのマイクと、メロディ・音声等を鳴音するためのスピーカとを具備している。【００１５】
これによって、本発明の携帯端末装置では、発言回数の多い人を１頁目に表示するため、よく発言する参加者のステータスや詳細等を参照する場合に、頁切替えまたはスクロール操作の手間を減らすことが可能となる。また、本発明の携帯端末装置では、発言回数が多い人を上位に表示するので、ＰＴＴ通信において会議等を行う場合、参加者が積極的に発言を行うようにする契機となる。
【発明の効果】
【００１６】
本発明は、上記のような構成及び動作とすることで、よく発言する参加者のステータスや詳細等を参照する場合に、頁切替えまたはスクロール操作の手間を減らすことができるという効果が得られる。
【図面の簡単な説明】
【００１７】
【図１】本発明の一実施形態に係る携帯電話機の構成を示すブロック図である。
【図２】（ａ），（ｂ）は図１の表示部へのＰＴＴ通信時の参加者リストの表示例を    示す図、（ｃ）は図１の作業用メモリに格納した内容を示す図である。
【図３】（ａ），（ｂ）は図１の表示部へのＰＴＴ通信時の参加者リストの表示例を    示す図、（ｃ）は図１の作業用メモリに格納した内容を示す図である。
【図４】本発明の一実施形態に係る携帯電話機のＰＴＴ通信処理を示すフローチャートである。
【符号の説明】
【００１８】
１  携帯電話機
１１  ＣＰＵ
１２  ＲＯＭ
１３  作業用メモリ
１４  送受信部
１５  入力部
１６  入力キー
１７  表示制御部
１８  表示部
１９  マイク
２０  スピーカ
１００  内部バス
【発明を実施するための最良の形態】
【００１９】
［第１の実施形態］
次に、本発明の第１の実施形態について図面を参照して説明する。図１は本発明の一実施形態に係る携帯電話機の構成を示すブロック図である。図１において、携帯電話機１はＣＰＵ（中央処理装置）１１と、ＲＯＭ（リード・オンリ・メモリ）１２と、作業用メモリ１３と、送受信部１４と、入力部１５と、入力キー１６と、表示制御部１７と、表示部１８と、マイク１９と、スピーカ２０とから構成されている。【００２０】
携帯電話機１はＣＰＵ１１を搭載しており、ＣＰＵ１１は内部バス１００を介して装置内の各部と接続されている。このうち、ＲＯＭ１２はＣＰＵ１１が実行するための各種の制御用プログラム等の固定的なデータを格納している。作業用メモリ１３はＲＡＭ（ランダム・アクセス・メモリ）によって構成されており、ＣＰＵ１１がプログラムを実行する上で一時的に必要とされるデータを格納するようになっている。発言者毎の発言回数データもこの作業用メモリ１３に格納される。【００２１】
送受信部１４は無線によって着信や発信、通話、通信を行う回路である。入力部１５は入力キー１６からのキー入力を検知する回路である。ＰＴＴ（Ｐｕｓｈ  ｔｏ  Ｔａｌｋ）通信において発言を行う場合、入力キー１６のうち、所定のキー（専用のキーあるいはオフフックキー等）を押下または押下し続け、発言権の取得を行うことが必要である。【００２２】
表示制御部１７は表示部１８の表示を制御する制御回路である。表示部１８は図示せぬ装置本体の前面に配置されており、白黒あるいはカラーの液晶パネルあるいは有機ＥＬ（Ｅｌｅｃｔｒｏ  Ｌｕｍｉｎｅｓｃｅｎｃｅ：電子蛍光）等の表示装置である。マイク１９は音声を送話するための装置であり、スピーカ２０はメロディ・音声・確認音等を鳴動するための装置である。【００２３】
図２（ａ），（ｂ）及び図３（ａ），（ｂ）は図１の表示部１８へのＰＴＴ通信時の参加者リストの表示例を示す図であり、図２（ｃ）及び図３（ｃ）は図１の作業用メモリ１３に格納した内容を示す図である。【００２４】
図２（ａ）及び図２（ｂ）は、参加者７名（参加者Ａ〜Ｇ）のＰＴＴ通信で既に何度か発言が行われた状態において、表示部１８に表示される画面の一例で、参加者７人のうち１頁目［図２（ａ）参照］に先頭の参加者５人（参加者Ａ〜Ｅ）、２頁目［図２（ｂ）参照］に残りの参加者２人（参加者Ｆ，Ｇ）が表示されていることを表している。【００２５】
図２（ｃ）は、上記の図２（ａ）及び図２（ｂ）に示すように、表示部１８に参加者リストを表示している際の作業用メモリ１３に格納されている参加者毎の発言回数一覧を表している。【００２６】
図２（ｃ）では、参加者Ａの発言回数が「５」、参加者Ｂの発言回数が「３」、参加者Ｃの発言回数が「１」、参加者Ｄの発言回数が「１」、参加者Ｅの発言回数が「１」、参加者Ｆの発言回数が「１」、参加者Ｇの発言回数が「１」となっており、図２（ａ）及び図２（ｂ）に示す参加者リストでは参加者Ａ〜Ｇが発言回数順に並んでいることを示している。【００２７】
図３（ａ）及び図３（ｂ）は、上述した図２（ａ）及び図２（ｂ）の画面から参加者Ｇが１回発言後、発言回数の多い順に並べ替えた後の表示部１８の画面を表している。参加者７人のうち１頁目［図３（ａ）参照］に先頭の参加者５人（参加者Ａ，Ｂ，Ｇ，Ｃ，Ｄ）、２頁目［図３（ｂ）参照］に残りの参加者２人（参加者Ｅ，Ｆ）が表示されていることを表している。【００２８】
図３（ｃ）は、上記の図３（ａ）及び図３（ｂ）に示すように、表示部１８に参加者リストを表示している際の作業用メモリ１３に格納されている参加者毎の発言回数一覧を表している。【００２９】
図３（ｃ）では、参加者Ａの発言回数が「５」、参加者Ｂの発言回数が「３」、参加者Ｃの発言回数が「１」、参加者Ｄの発言回数が「１」、参加者Ｅの発言回数が「１」、参加者Ｆの発言回数が「１」、参加者Ｇの発言回数が「２」となっており、図３（ａ）及び図３（ｂ）に示す参加者リストでは参加者Ａ〜Ｇが発言回数順に並んでいることを示している。【００３０】
図４は本発明の一実施形態に係る携帯電話機１のＰＴＴ通信処理を示すフローチャートである。図４においては、本実施形態に係る携帯電話機１のＰＴＴ通信の開始から発言回数のカウント、参加者リストの並べ替え、ＰＴＴ通信の終了に至る処理を示している。これら図１及び図４を参照して本発明の一実施形態に係る携帯電話機１のＰＴＴ通信処理について説明する。尚、図４に示す処理はＣＰＵ１１がＲＯＭ１２に格納されたプログラムを実行することで実現される。【００３１】
携帯電話機１は予め設定された（検出された）ＰＴＴ通信参加者に対して発信処理を行うことで、ＰＴＴ開始処理を行い（図４ステップＳ１）、参加者毎の発言回数カウント用に作業用メモリ１３に変数を確保し（図４ステップＳ２）、発言権取得待ち状態となる（図４ステップＳ３）。【００３２】
携帯電話機１はその発言権取得待ち状態から、発言希望者が発言権を取得すると（図４ステップＳ４）、ＣＰＵ１１が作業用メモリ１３に格納されている該当する参加者の発言回数カウンタを＋１する（図４ステップＳ５）。ＣＰＵ１１は作業用メモリ１３に格納されている参加者毎の発言回数を参照し、表示部１８に表示される参加者の一覧を発言回数の多い順に並べ替える（図４ステップＳ６）。【００３３】
携帯電話機１は発言者の発言が終了して発言権が解放されると（図４ステップＳ７）、ＰＴＴ通信が終了でなければ（図４ステップＳ８）、再び発言権取得待ち状態となり（図４ステップＳ３）、ＰＴＴ通信が終了であれば（図４ステップＳ８）、ＰＴＴ通信終了処理を行って（図４ステップＳ９）、上述した処理を終了する。【００３４】
このように、本実施形態では、表示部１８に表示される参加者一覧において、発言回数の多い参加者を１頁目に表示するようにしているため、よく発言する参加者のステータスや詳細等を参照する場合に、頁切替えまたはスクロール操作の手間を減らすことができる。【００３５】
また、本実施形態では、表示部１８に表示される参加者一覧において、発言回数が多い参加者を上位に表示するようにしているので、ＰＴＴ通信において会議等を行う場合、参加者が積極的に発言を行うようにする契機が得られる。【００３６】
尚、本発明では、上記の実施形態において、携帯電話機１から発信した場合について説明したが、他の参加者から発信した場合も同様にして、発言回数を基に参加者一覧における参加者の順序を並べ替えることによって、上記と同様の効果が得られる。【００３７】
本発明では、上記の実施形態において、参加者一覧が複数の頁に跨る場合について説明したが、参加者一覧が単一の頁に収まる場合にも、上記と同様にして、発言回数を基に参加者一覧における参加者の順序を並べ替えることによって、上記と同様の効果が得られる。【００３８】
［第２の実施形態］
上記した第１の実施形態では、携帯電話機１が発言回数を基に参加者一覧における参加者の順序を並べ替えるものとして説明したが、前回の発言者を必ず先頭に並び替える動作としてもよい。本発明の第２の実施形態に係る携帯電話機は、前記した発言回数を基にした並べ替えを行うとともに、前回の発言者を必ず先頭に並び替えた参加者一覧を表示する。本実施形態によれば、参加者一覧の先頭位置から、前回の発言者を即座に確認することが可能となる。【００３９】
［第３の実施形態］
上記した第１の実施形態では、携帯電話機１が発言回数を基に参加者一覧における参加者の順序の並べ替えのみを行うものとして説明したが、発言回数が多い参加者の名前を所定の色（例えば、赤色等）に変えてもよい。本発明の第３の実施形態に係る携帯電話機は、前記した発言回数を基にした並べ替えを行うとともに、発言回数が多い参加者の名前を所定の色に変更した参加者一覧を表示する。本実施形態によれば、発言回数の多い参加者を容易に確認することが可能となる。【００４０】
［第４の実施形態］
上記した第１の実施形態では、携帯電話機１が発言回数を基に参加者一覧における参加者の順序の並べ替えのみを行うものとして説明したが、発言回数が多い参加者に、所定のアイコンや画像（例えば、発言数が多いことがわかるアイコンやその人に紐付けされた画像）等を表示してもよい。本発明の第４の実施形態に係る携帯電話機は、前記した発言回数を基にした並べ替えを行うとともに、発言回数が多い参加者に対し、所定のアイコンや画像等を表示した参加者一覧を表示する。本実施形態によれば、発言回数の多い参加者を容易に確認することが可能となる。【００４１】
［第５の実施形態］
上記した第１の実施形態では、携帯電話機１が発言権の解放前に「発言回数カウンタの＋１」、「参加者の並べ替え」を行うものとして説明したが、発言権の解放後に行ってもよい。本発明の第５の実施形態に係る携帯電話機は、発言権の解放後に前記計数及び並び替えを行ない、参加者一覧を表示する。本実施形態によれば、発言権の解放後のタイミングで、参加者一覧が更新表示されることとなる。【００４２】
［第６の実施形態］
上記した第１の実施形態では、携帯電話機１が発言回数を基に参加者一覧における参加者の順序を並べ替える点について設定を設けていないものとして説明したが、並べ替えを行うか否かの設定を設け、携帯電話機１の使用者に選択させてもよい。本発明の第６の実施形態に係る携帯電話機は、上記した参加者一覧の並び替え方法やこれに付随する各種表示等を行うか否かを設定可能とする。本実施形態によれば、携帯電話機１の使用者に参加者一覧の表示態様を選択させることが可能となる。【００４３】
［第７の実施形態］
上記した第１の実施形態では、携帯電話機１が参加者毎の発言回数そのものを表示する点については説明を行っていないが、表示部１８に発言回数や発言回数をグラフ化したものを表示するようにしてもよい。本発明の第７の実施形態に係る携帯電話機は、参加者毎の発言回数及び前記発言回数のグラフのいずれかを表示する。本実施形態によれば、携帯電話機１の使用者に参加者一覧の表示態様を選択させることが可能となる。本実施形態によれば、各参加者の発言回数が参加者一覧に表示され、各参加者が積極的に発言を行うようにする契機が得られるといった効果が得られる。
【産業上の利用可能性】
【００４４】
本発明は、携帯電話機以外に、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ，Ｐｅｒｓｏｎａｌ  Ｄｉｇｉｔａｌ  Ａｓｓｉｓｔａｎｔｓ：個人向け携帯型情報通信機器）等の携帯端末装置においてＰＴＴ通信機能を搭載する機器に適用可能である。
【図１】
2007058135.tif 000003
【図２】
2007058135.tif 000004
【図３】
2007058135.tif 000005
【図４】
2007058135.tif 000006
【国際調査報告】
2007058135.tif 000007
2007058135.tif 000008
2007058135.tif 000009
2007058135.tif 000010